(57)【要約】      （修正有）【課題】簡易な構成で、荷物が収容された状態を維持可能な留め具を提供する。【解決手段】留め具１は、係合雄部１００と、係合雌部２００と、係合解除部３００を有する。係合雄部は、紐状体が挿し通される孔部と第１係合部とを有し、係合雌部は、孔部および第１係合部を収容する収容部と、第１係合部と係合する第２係合部と、第１係合部と第２係合部との係合部分に連通する第２孔部と、第１係合部と第２係合部との係合部分に連通する開口部と、係合解除部と係合する第３係合部とを有し、係合解除部は、第２孔部に挿し通される挿入部と、第３係合部と係合解除不能に係合する第４係合部とを有する。孔部に挿し通された紐状体が係合雄部と係合雌部との間で挟持される。係合解除部の挿入部が第２孔部に挿し通されると、第１係合部と第２係合部との係合が解除されるとともに、第３係合部と第４係合部とが係合する。【選択図】図１
2020137954.tif 000002
【特許請求の範囲】
【請求項１】
係合雄部と、前記係合雄部と係合する係合雌部と、前記係合雄部と前記係合雌部との係合を解除する係合解除部とを有する留め具であって、
前記係合雄部は、荷物の収容に用いられる紐状体が挿し通される孔部と、前記係合雌部と係合する第１係合部とを有し、
前記係合雌部は、前記孔部および前記第１係合部を収容する収容部と、前記第１係合部と係合する第２係合部と、前記第１係合部と第２係合部との係合部分に連通する開口部と、前記係合解除部と係合する第３係合部とを有し、
前記係合解除部は、前記開口部に挿し通される挿入部と、前記第３係合部と係合解除不能に係合する第４係合部とを有し、
前記孔部および前記第１係合部が前記収容部に収容され、かつ前記第１係合部と前記第２係合部とが係合した状態において、前記孔部に挿し通された前記紐状体が前記係合雄部と前記係合雌部との間で挟持され、
前記係合解除部の前記挿入部が前記開口部から前記第１係合部と第２係合部との前記係合部分へ挿し通されると、前記第１係合部と前記第２係合部との係合が解除されるとともに、前記第３係合部と前記第４係合部とが係合する
ことを特徴とする留め具。
【請求項２】
前記係合雄部は、前記第１係合部と前記第２係合部とが係合した状態において、前記紐状体を係止する係止突起をさらに有する、ことを特徴とする請求項１に記載の留め具。
【請求項３】
前記係合雌部は、前記第１係合部と前記第２係合部とが係合した状態において、前記紐状体を係止する係止突起をさらに有する、ことを特徴とする請求項１または２に記載の留め具。
【請求項４】
前記係合雄部は、前記紐状体を前記孔部に案内するスリットをさらに有する、ことを特徴とする請求項１から３のいずれか一項に記載の留め具。
【請求項５】
前記係合雄部の前記孔部および前記第１係合部は、第１の方向から前記収容部に収容され、
前記係合解除部の前記挿入部は、前記第１の方向とは反対の第２の方向から前記開口部に挿し通される、
ことを特徴とする請求項１から４のいずれか一項に記載の留め具。
【請求項６】
前記係合雄部の前記係止突起は、前記第１係合部と前記第２係合部とが係合した状態において、前記係合雌部が前記紐状体と当接する位置に対向する部分に配置されている、ことを特徴とする請求項２に記載の留め具。
【請求項７】
前記係合雄部の前記係止突起は、前記孔部の前記紐状体と当接する部分に配置されている、ことを特徴とする請求項２または６に記載の留め具。
【請求項８】
前記係合雌部の前記係止突起は、前記第１係合部と前記第２係合部とが係合した状態において、前記係合雄部が前記紐状体と当接する位置に対向する部分に配置されている、ことを特徴とする請求項３に記載の留め具。
【請求項９】
前記係合雌部の前記係止突起は、前記孔部の前記紐状体との当接位置に対向する部分に配置されている、ことを特徴とする請求項３または８に記載の留め具。
【発明の詳細な説明】
【技術分野】
【０００１】
本発明は、荷物の留め具に関する。
【背景技術】
【０００２】
近年、ＥＣ（Electric Commerce：電子商取引）市場の拡大に伴い、ＥＣサイトで購入
された商品を荷物とする配達の取り扱い件数が急増している。そして、荷物の再配達の発生を抑えて物流コストを削減することを目的として、荷物の受取人が届け先の場所に不在である場合に荷物を保管する技術が提案されている（特許文献１）。
【先行技術文献】
【特許文献】
【０００３】
【特許文献１】特開２０１６−０９５７８２号公報
【発明の概要】
【発明が解決しようとする課題】
【０００４】
しかしながら、上記の技術では、荷物を保管する装置の設置および運用に伴うコストがかかり、一度設置された装置の移動は容易でないため、装置の設置場所によっては受取人にとっての利便性が低い場合がある。
【０００５】
さらに、いわゆる置き配とよばれる配達形態の配達サービスを展開する配達業者も存在する。置き配とは、荷物の配達業者が、荷物の受取人が届け先の場所に不在である場合に、荷物の受取人によってあらかじめ指定された場所に荷物を置いておく配達形態である。また、配達業者が、荷物を保管するための容器に荷物を入れ、ロックを使用して容器を施錠する場合もある。
【０００６】
ただし、容器を施錠するロックは、南京錠など、複数回の配達を通じて繰り返し使用できるように構成されており、暗証番号の設定など配達前の準備の手間やロックの製造コストが、置き配の配達サービスを展開する上での支障となる可能性がある。
【０００７】
本件開示の技術は、上記の事情に鑑みてなされたものであり、その目的とするところは、簡易な構成で、荷物が収容された状態を維持可能な留め具を提供することである。
【課題を解決するための手段】
【０００８】
本件開示の留め具は、係合雄部と、係合雄部と係合する係合雌部と、係合雄部と係合雌部との係合を解除する係合解除部とを有する留め具であって、係合雄部は、荷物の収容に用いられる紐状体が挿し通される孔部と、係合雌部と係合する第１係合部とを有し、係合雌部は、孔部および第１係合部を収容する収容部と、第１係合部と係合する第２係合部と、第１係合部と第２係合部との係合部分に連通する開口部と、係合解除部と係合する第３係合部とを有し、係合解除部は、開口部に挿し通される挿入部と、第３係合部と係合解除不能に係合する第４係合部とを有し、孔部および第１係合部が収容部に収容され、かつ第１係合部と第２係合部とが係合した状態において、孔部に挿し通された紐状体が係合雄部と係合雌部との間で挟持され、係合解除部の挿入部が開口部から第１係合部と第２係合部との係合部分へ挿し通されると、第１係合部と第２係合部との係合が解除されるとともに、第３係合部と第４係合部とが係合する、ことを特徴とする。
【０００９】
これにより、紐状体によって荷物を収容した状態で、係合雄部と係合雌部とを紐状体に取り付けることで、係合解除部によって係合雄部と係合雌部との係合を解除しない限り荷
物を収容した状態を維持することが可能となる。また、係合解除部を係合雌部に係合すると、係合解除部を係合雌部から取り外すことができないため、別の係合雄部と係合雌部との係合を解除するために係合解除部を再利用することが防止される。
【００１０】
また、上記の留め具において、係合雄部は、第１係合部と第２係合部とが係合した状態において、紐状体を係止する係止突起をさらに有してもよい。また、係合雌部は、第１係合部と第２係合部とが係合した状態において、紐状体を係止する係止突起をさらに有してもよい。これにより、係合雄部と係合雌部とを係合したときの紐状体の移動をより効果的に規制することが期待できる。
【００１１】
また、上記の留め具において、紐状体を孔部に案内するスリットをさらに有してもよい。これにより、留め具の使用者は、係合雄部の孔部に紐状体をより容易に挿し通せることが期待できる。
【００１２】
また、上記の留め具において、係合雄部の孔部および第１係合部は、第１の方向から収容部に収容され、係合解除部の挿入部は、第１の方向とは反対の第２の方向から第２孔部に挿し通されるように構成されてよい。これにより、留め具の使用者は、より単純な作業で係合雄部と係合雌部との係合や係合解除部を用いて当該係合の解除を行えることが期待できる。
【００１３】
また、上記の留め具において、係合雄部の係止突起は、第１係合部と第２係合部とが係合した状態において、係合雌部の紐状体との当接位置に対向する部分に配置されていてもよい。また、係合雄部の係止突起は、孔部の紐状体と当接する部分に配置されていてもよい。また、係合雌部の係止突起は、第１係合部と第２係合部とが係合した状態において、係合雄部の紐状体との当接位置に対向する部分に配置されていてもよい。また、係合雌部の係止突起は、孔部の紐状体との当接位置に対向する部分に配置されていてもよい。
【発明の効果】
【００１４】
本件開示の技術によれば、簡易な構成で、荷物を保管する容器の施錠が可能な留め具を提供することができる。
【図面の簡単な説明】
【００１５】
【図１】一実施形態に係る留め具の一例を示す図である。
【図２】図２Ａ〜図２Ｅは、一実施形態に係る留め具の係合雄部の一例を示す図である。
【図３】一実施形態に係る留め具の係合雄部の図２ＣのＡ１−Ａ１線による断面図である。
【図４】図４Ａ〜図４Ｅは、一実施形態に係る留め具の係合雌部の一例を示す図である。
【図５】図５Ａは、一実施形態に係る留め具の係合雌部の図４ＢのＢ１−Ｂ１線による断面図であり、図５Ｂは、一実施形態に係る留め具の係合雌部の図４ＣのＢ２−Ｂ２線による断面図である。
【図６】図６Ａ〜図６Ｅは、一実施形態に係る留め具の係合解除部の一例を示す図である。
【図７】図７Ａは、一実施形態に係る留め具の係合解除部の図６ＢのＣ１−Ｃ１線による断面図であり、図７Ｂは、一実施形態に係る留め具の係合雌部の図６ＣのＣ２−Ｃ２線による断面図である。
【図８】図８Ａ、図８Ｂは、一実施形態に係る留め具の一例を示す図であり、図８Ｃは、一実施形態に係る留め具の図８ＢのＤ１−Ｄ１線による断面図である。
【図９】図９Ａは、一実施形態に係る留め具の係合雄部の図２Ｃに対応する図であり、図９Ｂは、一実施形態に係る留め具の係合雌部の図５Ａに対応する図である。
【図１０】図１０Ａ〜図１０Ｃは、一実施形態に係る留め具の一例を示す図である。
【図１１】図１１Ａは、一実施形態に係る留め具の図１０ＢのＥ１−Ｅ１線による断面図であり、図１１Ｂは、一実施形態に係る留め具の図１０ＣのＥ２−Ｅ２線による断面図である。
【図１２】図１２Ａは、一実施形態に係る留め具の一例を示す図であり、図１２Ｂは、一実施形態に係る留め具の図１１Ａに示す断面に対応する断面を示す断面図である。
【図１３】図１３Ａは、一実施形態に係る留め具の一例を示す図であり、図１３Ｂは、一実施形態に係る留め具の図１１Ａに示す断面に対応する断面を示す断面図である。
【発明を実施するための形態】
【００１６】
以下に、図面を参照して本発明の実施形態について説明する。
図１に、本実施形態の留め具１の一例を示す。留め具１は、係合雄部１００と、係合雄部１００と係合する係合雌部２００と、係合雄部１００と係合雌部２００との係合を解除する係合解除部３００とを有する。留め具１は、荷物の収容に用いられる紐状体に使用される。紐状体としては、ポリエステルやナイロンなどの紐が例示される。また、紐状体を用いた荷物の収容の形態としては、開口部を紐状体で縛る巾着袋やボールネット、荷物を紐で縛るブックバンド、当該開口部をファスナで開閉する収納ケースなどが例示される。
【００１７】
留め具１は、係合雄部１００と係合雌部２００とで紐状体を挟み込んだ状態で、係合雄部１００と係合雌部２００とを互いに係合させることで紐状体に取り付けられる。そして、係合雄部１００と係合雌部２００とが一度係合されると、係合雄部１００と係合雌部２００とは、その取り付け位置から紐状体上を移動しないように構成されている。このため、留め具１が、荷物の収容に用いられる紐状体に取り付けられることで、紐状体による荷物の収容状態を維持することができる。
【００１８】
以下の説明では、荷物の配達員が巾着袋に荷物を収容し、巾着袋の紐を引いて開口部を閉じ、係合雄部１００と係合雌部２００とを互いに係合させることで紐に取り付け、荷物の受取人が係合解除部３００を用いて係合雄部１００と係合雌部２００の係合を解除して巾着袋から荷物を取り出す場合を想定する。なお、巾着袋の紐が、紐状体の一例である。
【００１９】
次に、留め具１の係合雄部１００、係合雌部２００、係合解除部３００について説明する。係合雄部１００、係合雌部２００、係合解除部３００は、ポリエチレン（ＰＥ）などの熱可塑性樹脂を射出成形することで製造される。まず、図２は、本実施形態における留め具１の係合雄部１００の一例を示す図である。図２Ａは斜視図であり、図２Ｂは側面図であり、図２Ｃは上面図であり、図２Ｄは背面図であり、図２Ｅは正面図である。また、図３は、図２ＣにおけるＡ１−Ａ１線による係合雄部１００の断面を示す図である。
【００２０】
以下の説明では、図２Ｂおよび図２Ｃに示すように、係合雄部１００の後端部１００ｂから先端部１００ａへ向かう方向（側）を「前方向（側）」、その反対方向（側）を「後方向（側）」、図２Ｂにおいて垂直上方向（側）を「上方向（側）」、垂直下方向（側）を「下方向（側）」とし、図２Ｃにおいて垂直上方向（側）を「右方向（側）」、垂直下方向（側）を「左方向（側）」とする。
【００２１】
係合雄部１００は、その全体が平板形状の部材である。係合雄部１００は、荷物を収容する巾着袋の開口部を閉じるために用いられる紐状体が挿し通される孔部１０１を有する。孔部１０１が、係合雄部の孔部の一例である。また、係合雄部１００は、紐状体を係合雄部１００の前側から孔部１０１に案内するための、前後方向に延びるスリット１０２を有する。
【００２２】
スリット１０２の左右両側には、係合雌部２００と係合する一対の係合爪部１０３が形成されている。係合爪部１０３が第１係合部の一例である。係合爪部１０３は、前後方向に延伸する軸部１０３ａと、軸部１０３ａの前側から後側に向かって折り返される折り返し部１０３ｂとを有する。折り返し部１０３ｂは、軸部１０３ａの先端から右方向または左方向に延伸する。軸部１０３ａと折り返し部１０３ｂの間にはスリット１０３ｃが形成されている。
【００２３】
また、それぞれの係合爪部１０３の後側には、係合雄部１００を係合雌部２００に対して位置決めするための段差部１０４が形成されている。また、係合雄部１００には、係合雌部２００の一部を受け入れる一対の凹部１０５が形成されている。また、係合雄部１００の上面には、係合雌部２００に対する係合雄部１００の位置決めを行うための一対の位置決め突起１０６が形成されている。また、係合雄部１００の上面の、孔部１０１に対して後側の領域には、孔部１０１に挿し通された紐状体を係止するための、錐体形状の複数の係止突起１０７が形成されている。一対の位置決め突起１０６および複数の係止突起１０７は、係合雄部１００の下面にも形成されている。係合雄部１００の下面における位置決め突起１０６および係止突起１０７の位置は、上下方向において係合雄部１００の上面における位置決め突起１０６および係止突起１０７の位置に対応している。また、孔部１０１の内壁１０１ａにも、紐状体を係止するための、係止突起１０７と同様の錐体形状の複数の係止突起１０８が形成されている。
【００２４】
係合雄部１００の後端部１００ｂ側には、留め具１の使用者が係合雄部１００を把持するための把持部１０９が形成されている。把持部１０９には、使用者が指で把持部１０９を把持したときの指の滑り止めとして機能する複数の滑り止め突起１１０が形成されている。滑り止め突起１１０は、係合雄部１００の下面にも形成されている。
【００２５】
次に、図４は、留め具１の係合雌部２００の一例を示す図である。図４Ａは斜視図であり、図４Ｂは側面図であり、図４Ｃは上面図であり、図４Ｄは背面図であり、図４Ｅは正面図である。また、図５Ａは、図４ＢにおけるＢ１−Ｂ１線による係合雌部２００の断面を示す図であり、図５Ｂは、図４ＣにおけるＢ２−Ｂ２線による係合雌部２００の断面を示す図である。
【００２６】
以下の説明では、図４Ｂおよび図４Ｃに示すように、係合雌部２００の後端部２００ｂから先端部２００ａへ向かう方向（側）を「前方向（側）」、その反対方向（側）を「後方向（側）」、図４Ｂにおいて垂直上方向（側）を「上方向（側）」、垂直下方向（側）を「下方向（側）」とし、図４Ｃにおいて垂直上方向（側）を「右方向（側）」、垂直下方向（側）を「左方向（側）」とする。
【００２７】
係合雌部２００は、係合雄部１００の孔部１０１および係合爪部１０３を収容する収容部２０１を有する。孔部１０１および係合爪部１０３は、係合雌部２００の背面（後面）に形成された開口部２０２から収容部２０１内に挿入される。収容部２０１には、係合雄部１００の孔部１０１および係合爪部１０３が収容部２０１に収容された状態において、孔部１０１に挿し通された紐状体を受け入れる凹部２０３が形成されている。凹部２０３は、係合雌部２００の上下方向において、収容部２０１の内壁の互いに対向する部分に、開口部２０２と連続するように設けられている。
【００２８】
また、収容部２０１の内壁には、係合雄部１００の係合爪部１０３と係合する係合突起２０４が形成されている。本実施形態では、係合雄部１００の係合爪部１０３が、係合雄部１００の左右方向において一対となるように形成されているため、係合突起２０４も、係合爪部１０３の位置に対応するように、収容部２０１の左右方向において一対となるように収容部２０１の内壁に形成されている。
【００２９】
また、収容部２０１には、係合雄部１００の孔部１０１および係合爪部１０３が収容部２０１に収容された状態において、孔部１０１と対向する位置に、孔部１０１に挿し通された紐状体を係止するための複数の係止突起２０５が形成されている。また、係合雌部２００の正面（前面）には、開口部２０６が形成されている。開口部２０６は、収容部２０１において、係合爪部１０３と係合突起２０４との係合部分に連通する。また、係合雌部２００の剛性は、留め具１の使用者などが係合雌部２００の側面から力を加えても変形せず、係合爪部１０３と係合突起２０４との係合が維持されるように設定されている。
【００３０】
また、係合雌部２００には、係合解除部３００と係合する係合凹部２０７が形成されている。本実施形態では、係合凹部２０７は、係合雌部２００の各側面にそれぞれ形成されている。なお、係合凹部２０７が、係合雌部の第３係合部の一例である。また、係合雌部２００の上面および下面には、係合解除部３００が係合雌部２００と係合する際に係合解除部３００を案内する案内溝２０８がそれぞれ形成されている。
【００３１】
次に、図６は、留め具１の係合解除部３００の一例を示す図である。図６Ａは斜視図であり、図６Ｂは側面図であり、図６Ｃは上面図であり、図６Ｄは背面図であり、図６Ｅは正面図である。また、図７Ａは、図６ＢにおけるＣ１−Ｃ１線による係合解除部３００の断面を示す図であり、図７Ｂは、図６ＣにおけるＣ２−Ｃ２線による係合解除部３００の断面を示す図である。
【００３２】
以下の説明において、図６Ｂおよび図６Ｃに示すように、係合解除部３００の後端部３００ｂから先端部３００ａへ向かう方向（側）を「前方向（側）」、その反対方向（側）を「後方向（側）」、図６Ｂにおいて垂直上方向（側）を「上方向（側）」、垂直下方向（側）を「下方向（側）」とし、図６Ｃにおいて垂直上方向（側）を「右方向（側）」、垂直下方向（側）を「左方向（側）」とする。
【００３３】
係合解除部３００は、係合雌部２００を収容する収容部３０１を有する。係合雌部２００は、係合解除部３００の背面（後面）に形成された開口部３０２から収容部３０１内に挿入される。収容部３０１には、係合雌部２００が収容部３０１に収容される際に、係合雌部２００の開口部２０６に挿し通される挿入部３０３が形成されている。挿入部３０３は、係合解除部３００の後端部３００ｂ側から先端部３００ａ側に向かうにつれて、その左右方向の幅が大きくなるような、くさび形となるように形成されている。また、本実施形態では、開口部２０６が、係合雌部２００の左右方向において一対となるように形成されているため、挿入部３０３も、開口部２０６の位置に対応するように、収容部３０１の左右方向において一対となるように形成されている。
【００３４】
また、係合解除部３００の収容部３０１には、係合雌部２００の係合凹部２０７と係合する係合爪部３０４が形成されている。係合爪部３０４は、収容部３０１の内壁から係合解除部３００の先端部３００ａ側に向かって延伸するように形成される。また、係合爪部３０４と収容部３０１の内壁との間にはスリット３０５が形成されている。
【００３５】
また、係合解除部３００の収容部３０１には、係合雌部２００が収容部３０１に収容される際に、係合雌部２００の案内溝２０８に沿って摺動する摺動突起３０６が形成されている。本実施形態では、係合雌部２００の案内溝２０８が、係合雌部２００の上下方向において一対となるように形成されているため、摺動突起３０６も、案内溝２０８の位置に対応するように、収容部３０１の上下方向において一対となるように形成されている。また、係合解除部３００の先端部３００ａ側には、留め具１の使用者が係合解除部３００を把持するための把持部３０７が形成されている。
【００３６】
次に、上記の係合雄部１００、係合雌部２００、係合解除部３００を有する留め具１の使用例について図を参照しながら説明する。ここでは、荷物の受取人が荷物の届け先に不在であり、荷物の配達員が受取人によって指定された場所に備え付けられている巾着袋に荷物を収容する。巾着袋には、巾着袋の荷物の出し入れするための開口を開閉させる紐４００が設けられている。また、荷物の配達員は、係合雄部１００と係合雌部２００を所持しており、荷物の受取人は、係合解除部３００を所持していると想定する。
【００３７】
荷物の配達員は、荷物を巾着袋に収容して紐４００によって開口部を閉じた後、係合雄部１００の把持部１０９を指で把持して、巾着袋の紐４００を、係合雄部１００のスリット１０２から孔部１０１に移動させる。そして、配達員は、孔部１０１に紐４００が挿し通されている状態で、係合雄部１００を後側から前側に向かう方向（第１の方向）に移動して、係合雄部１００の係合爪部１０３を係合雌部２００の開口部２０２から収容部２０１に挿入する。
【００３８】
図８に、係合爪部１０３が収容部２０１に挿入される状態の一例を示す。図８Ａは、斜視図であり、図８Ｂは側面図である。また、図８Ｃは、図８ＢのＤ１−Ｄ１線による係合雄部１００および係合雌部２００の断面図である。また、図９Ａおよび図９Ｂに示すように、係合雄部１００の係合爪部１０３の左右方向の幅をＷ１とし、係合雌部２００の収容部２０１における一対の係合突起２０４の間の幅をＷ２とする。本実施形態では、Ｗ１がＷ２よりも大きくなるように設定されている。このため、係合爪部１０３が収容部２０１に挿入されたときに、折り返し部１０３ｂが係合突起に当接することとなる。
【００３９】
係合爪部１０３が収容部２０１に挿入され、係合爪部１０３が収容部２０１内の係合突起２０４に当接した後、配達員は、係合雄部１００をさらに係合雌部２００側に押し込む。係合爪部１０３にはスリット１０３ｃが形成されているため、係合爪部１０３の折り返し部１０３ｂは、係合突起２０４に押されて軸部１０３ａ側に撓む。そして、折り返し部１０３ｂは、係合突起２０４に当接して軸部１０３ａ側に撓んだ状態を維持しながら、係合雄部１００の押し込みに合わせて収容部２０１内を移動する。そして、折り返し部１０３ｂが係合突起２０４から離れると、折り返し部１０３ｂは撓んだ状態から復元する。
【００４０】
図１０Ａ〜図１０Ｃには、係合雄部１００の係合爪部１０３が収容部２０１内で復元した状態を示す。図１０Ａは斜視図であり、図１０Ｂは側面図であり、図１０Ｃは上面図である。なお、図９Ｂおよび図９Ｃでは、紐４００を省略している。また、図１１Ａは、図１０ＢにおけるＥ１−Ｅ１線による係合雄部１００、係合雌部２００、紐４００の断面を示す図であり、図１１Ｂは、図１０ＣにおけるＥ２−Ｅ２線による係合雄部１００、係合雌部２００、紐４００の断面を示す図である。
【００４１】
係合雌部２００の収容部２０１内で折り返し部１０３ｂが復元すると、係合雄部１００の後端部１００ｂ側にある折り返し部１０３ｂの端面１０３ｄが係合突起２０４と対向する状態となる。このため、係合雄部１００を係合雌部２００から引き抜く力、すなわち係合雄部１００を後方向に引く力が働いても、折り返し部１０３ｂの端面１０３ｄが係合突起２０４に当接することで、係合雄部１００の後方向への移動が規制される。このようにして係合爪部１０３と係合突起２０４とが係合する。ここで、係合突起２０４が、係合雌部の第２係合部の一例である。
【００４２】
また、係合爪部１０３と係合突起２０４とが係合したときに、係合雌部２００の係合突起２０４が係合雄部１００の段差部１０４の窪みに移動した状態となる。この結果、段差部１０４によって係合雄部１００と係合雌部２００との相対的な位置決め効果が期待できる。さらに、係合爪部１０３と係合突起２０４とが係合したときに、係合雌部２００の一部が係合雄部１００の凹部１０５に嵌合した状態となる。この結果、凹部１０５によって
も、係合雄部１００と係合雌部２００との相対的な位置決め効果が期待できる。
【００４３】
また、係合爪部１０３と係合突起２０４とが係合した状態において、係止突起１０７は、収容部２０１の内壁が孔部１０１から延びる紐４００と当接する位置に対向する。これによって、紐４００が、係合雄部１００の係止突起１０７と係合雌部２００の収容部２０１の内壁に挟持される。さらに、係合雄部１００の孔部１０１に挿し通されている紐４００が、係合雄部１００の係止突起１０８と係合雌部２００の係止突起２０５との間に挟持される。この結果、外部から紐４００が引っ張られても、互いに係合した係合雄部１００および係合雌部２００に対する紐４００の相対移動が規制される。したがって、配達員が荷物を収容した巾着袋の開口を閉じた状態で、開口の紐４００の通し口部分で、上記のように係合雄部１００と係合雌部２００とを互いに係合させて紐４００に取り付けることで、紐４００が引っ張られても開口は閉じた状態で維持されるため、後述する係合解除部３００によって係合雄部１００と係合雌部２００の係合が解除されない限り、容易に巾着袋の開口を開くことができなくなる。
【００４４】
次に、紐４００に取り付けられた係合雄部１００と係合雌部２００の係合が係合解除部３００によって解除される場合の各部の動作について図を参照しながら説明する。荷物の受取人は、係合解除部３００の把持部３０７を把持し、係合解除部３００を後側から前側に向かう方向（第２の方向）に移動して、係合解除部３００の一対の挿入部３０３を、係合雌部２００の背面に設けられている一対の開口部２０６から収容部２０１内に挿入する。このとき、係合解除部３００の摺動突起３０６が、係合雌部２００の案内溝２０８と嵌合する。摺動突起３０６と案内溝２０８とによって、係合解除部３００の係合雌部２００に対する移動が、案内溝２０８に沿った移動となるように規制されるため、受取人は、係合解除部３００のがたつきを抑えつつ、係合解除部３００を係合雌部２００に対してスムーズに移動させることができる。なお、本実施形態の留め具１によれば、配達員は、係合雄部１００を前側に向かって移動して係合雌部２００と係合させ、受取人は、係合解除部３００を後側に向かって移動して係合雌部２００と係合させつつ係合雄部１００と係合雌部２００との係合を解除できるため、留め具１の使用者は、複雑な作業を行うことなく、係合雄部１００と係合雌部２００との係合および係合解除を行うことができる。
【００４５】
図１２に、係合解除部３００の挿入部３０３が開口部２０６から挿入された状態の一例を示す。図１２Ａは斜視図であり、図１２Ｂは、図１１Ａの断面図に対応する係合雄部１００、係合雌部２００、係合解除部３００、紐４００の断面図である。
【００４６】
係合解除部３００の挿入部３０３が開口部２０６から挿入されると、受取人による係合解除部３００の移動に合わせて、挿入部３０３は、さらに収容部２０１内を移動し、収容部２０１内の係合雄部１００の係合爪部１０３の折り返し部１０３ｂに当接する。挿入部３０３の左右方向の幅は、係合解除部３００の先端部３００ａから後端部３００ｂに向かうにつれて大きくなっている。このため、挿入部３０３は、折り返し部１０３ｂに当接した後、収容部２０１内をさらに移動するときに折り返し部１０３ｂをスリット１０３ｃ側に撓ませる。そして、図１２Ｂに示すように、係合解除部３００の収容部３０１に係合雌部２００が収容されると、折り返し部１０３ｂの端面１０３ｄと係合突起２０４とが互いに対向しない状態となる。これによって、係合爪部１０３と係合突起２０４との係合が解除される。
【００４７】
また、係合解除部３００の挿入部３０３が開口部２０６から挿入されて、挿入部３０３が収容部２０１内を移動するとき、係合解除部３００の係合爪部３０４が、係合雌部２００に当接した後、係合解除部３００の移動に伴ってスリット３０５側に撓む。そして、図１２Ｂに示すように、係合解除部３００の収容部３０１に係合雌部２００が収容された状態において、係合爪部３０４が撓んだ状態から復元して係合雌部２００の係合凹部２０７
と係合する。また、図１２Ｂに示すように、係合爪部３０４が係合凹部２０７と一旦係合すると、係合雌部２００と係合解除部３００との相対移動が規制されるため、係合解除部３００を係合雌部２００から取り外すことはできなくなる。したがって、係合解除部３００が、係合雄部１００と係合雌部２００の係合の解除に使用されると、他の係合雄部１００と係合雌部２００の係合の解除には使用することはできない。なお、係合爪部３０４が、係合雌部の第３係合部と係合解除不能に係合する第４係合部の一例である。
【００４８】
受取人は、係合爪部１０３と係合突起２０４との係合が解除された状態で、係合雄部１００の把持部１０９を把持し、係合雄部１００を係合雌部２００から引き抜く。図１３Ａおよび図１３Ｂに、係合雄部１００が係合雌部２００から引き抜かれるときの、係合雄部１００、係合雌部２００、係合解除部３００、紐４００の一例を示す。図１３Ｂに示すように、孔部１０１に挿し通されている紐４００の、係止突起１０８および係止突起２０５による係止が解除され、留め具１と紐４００の相対移動が可能になる。さらに、受取人は、係合雄部１００を係合雌部２００から取り外し、紐４００をスリット１０２を介して孔部１０１から取り外す。これにより、受取人は、巾着袋の開口を開いて荷物を取り出すことができる。
【００４９】
以上が本実施形態に関する説明であるが、本実施形態の留め具の各部等の構成は、上記説明の内容に限定されるものではなく、本発明の技術的思想と同一性を失わない範囲内において種々の変更が可能である。例えば、上記の実施形態では、孔部１０１に通される紐状体として１本の紐４００を想定しているが、孔部１０１には複数本の紐状体が挿し通されてもよいし、互いに異なる種類の紐状体が挿し通されてもよい。例えば、穴を有する２つのファスナを隣り合わせの位置に移動して開口を閉じる容器の場合、開口を閉じた状態で１本の紐を各ファスナの穴に通し、ファスナが移動して開口が開かないように紐をまとめた状態で、紐に係合雄部１００と係合雌部２００を取り付けることで、ファスナを移動しても開口が開かないようにすることができる。また、上記の実施形態において、収容部２０１の内壁に紐４００の係止突起を配置してもよい。当該係止突起が配置される部分として、係合雄部１００と係合雌部２００とが係合した状態において、収容部２０１の内壁の係止突起１０７に対向する部分が挙げられる。また、上記の実施形態において、荷物の受取人が係合解除部３００を所持する代わりに、荷物の配達員が、係合雄部１００と係合雌部２００を紐４００に取り付けた後に、荷物の受取人の自宅の郵便受けに係合解除部３００を投入し、荷物の受取人が郵便受けから係合解除部３００を取り出して使用してもよい。
【符号の説明】
【００５０】
１    留め具
１００    係合雄部
１０３    係合爪部
２００    係合雌部
２０４    係合突起
２０７    係合凹部
３００    係合解除部
３０３    挿入部
３０４    係合爪部
４００    紐
【図１】
2020137954.tif 000003
【図２】
2020137954.tif 000004
【図３】
2020137954.tif 000005
【図４】
2020137954.tif 000006
【図５】
2020137954.tif 000007
【図６】
2020137954.tif 000008
【図７】
2020137954.tif 000009
【図８】
2020137954.tif 000010
【図９】
2020137954.tif 000011
【図１０】
2020137954.tif 000012
【図１１】
2020137954.tif 000013
【図１２】
2020137954.tif 000014
【図１３】
2020137954.tif 000015